(57)【特許請求の範囲】
【請求項１】
軸流ファンであって、
複数の翼を有するインペラと、
前記インペラの中心軸を中心として前記インペラを回転することにより前記中心軸方向のエアの流れを発生するモータ部と、
外形が略四角柱状であり、前記インペラの外周を囲むとともに複数のリブにより前記モータ部に接続されるハウジングと、
前記中心軸に沿って前記ハウジングに接続され、外形が前記ハウジングの前記外形と連続する略四角柱状である風洞部と、
を備え、
前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、
前記複数の接続構造のそれぞれが、
前記第１端部および前記第２端部の一方から他方に向かって突出する水平方向固定凸部と、
前記第１端部および前記第２端部の前記他方に設けられ、前記水平方向固定凸部と嵌り合う水平方向固定凹部と、
を有し、
前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、
前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、
前記複数の接続構造の複数の水平方向固定凸部と複数の水平方向固定凹部とにより、前記中心軸に垂直な方向における前記ハウジングに対する前記風洞部の相対位置が固定され、
前記第１端部および前記第２端部の４つの角部に、前記複数の接続構造のそれぞれが設けられ、
前記第１端部においていずれか２つの角部のそれぞれに前記水平方向固定凸部が設けられ、前記第２端部において前記２つの角部に対応する２つの角部とは別の２つの角部のそれぞれに前記水平方向固定凸部が設けられることを特徴とする軸流ファン。
【請求項２】
軸流ファンであって、
複数の翼を有するインペラと、
前記インペラの中心軸を中心として前記インペラを回転することにより前記中心軸方向のエアの流れを発生するモータ部と、
外形が略四角柱状であり、前記インペラの外周を囲むとともに複数のリブにより前記モータ部に接続されるハウジングと、
前記中心軸に沿って前記ハウジングに接続され、外形が前記ハウジングの前記外形と連続する略四角柱状である風洞部と、
を備え、
前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、
前記複数の接続構造のそれぞれが、
前記第１端部および前記第２端部の一方から他方に向かって突出する水平方向固定凸部と、
前記第１端部および前記第２端部の前記他方に設けられ、前記水平方向固定凸部と嵌り合う水平方向固定凹部と、
を有し、
前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、
前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、
前記複数の接続構造の複数の水平方向固定凸部と複数の水平方向固定凹部とにより、前記中心軸に垂直な方向における前記ハウジングに対する前記風洞部の相対位置が固定され、
前記ハウジングおよび前記風洞部が樹脂の射出成形により形成され、
前記水平方向固定凸部の前記中心軸に垂直な断面形状が、Ｌ字状、Ｔ字状、Ｕ字状またはＨ字状であることを特徴とする軸流ファン。
【請求項３】
軸流ファンであって、
複数の翼を有するインペラと、
前記インペラの中心軸を中心として前記インペラを回転することにより前記中心軸方向のエアの流れを発生するモータ部と、
外形が略四角柱状であり、前記インペラの外周を囲むとともに複数のリブにより前記モータ部に接続されるハウジングと、
前記中心軸に沿って前記ハウジングに接続され、外形が前記ハウジングの前記外形と連続する略四角柱状である風洞部と、
を備え、
前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、
前記複数の接続構造のそれぞれが、
前記第１端部および前記第２端部の一方から他方に向かって突出する水平方向固定凸部と、
前記第１端部および前記第２端部の前記他方に設けられ、前記水平方向固定凸部と嵌り合う水平方向固定凹部と、
を有し、
前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、
前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、
前記複数の接続構造の複数の水平方向固定凸部と複数の水平方向固定凹部とにより、前記中心軸に垂直な方向における前記ハウジングに対する前記風洞部の相対位置が固定され、
前記複数の接続構造にて前記ハウジングと前記風洞部とが接続可能な前記ハウジングに対する前記風洞部の前記中心軸を中心とする周方向の向きが１つのみであることを特徴とする軸流ファン。
【請求項４】
請求項１ないし３のいずれかに記載の軸流ファンであって、
前記水平方向固定凹部が、前記第１端部または前記第２端部の一の角部において前記中心軸に平行に伸びる凹部であり、
前記第１軸方向係止部が前記水平方向固定凸部の先端から突出し、前記第１軸方向係止部の先端が前記水平方向固定凹部の内側面に対向する凸状または凹状の係合部を有し、前記係合部と係合する凹状または凸状の前記第２軸方向係止部が前記水平方向固定凹部の前記内側面に設けられることを特徴とする軸流ファン。
【請求項５】
請求項４に記載の軸流ファンであって、
前記水平方向固定凹部が、前記ハウジングまたは前記風洞部の前記中心軸に平行な方向における全長に亘って形成される、または、前記水平方向固定凹部が、前記中心軸に略垂直な端面を有し、前記端面と前記第１軸方向係止部の前記先端との間に隙間が設けられることを特徴とする軸流ファン。
【請求項６】
請求項１ないし５のいずれかに記載の軸流ファンであって、
前記中心軸に沿って前記インペラに隣接する他のインペラと、
前記中心軸を中心として前記他のインペラを回転することにより前記インペラと同方向のエアの流れを発生する他のモータ部と、
をさらに備え、
前記風洞部が、前記他のインペラの外周を囲むとともに複数のリブにより前記他のモータ部に接続される他のハウジングであることを特徴とする軸流ファン。
【発明の詳細な説明】
【技術分野】
【０００１】
本発明は、ハウジングに当接する風洞部を有する軸流ファンおよびハウジング同士を接続した直列式の軸流ファンに関する。
【背景技術】
【０００２】
従来より、様々な電子機器の筐体内部に電子部品を冷却するための冷却ファンが設けられており、電子部品の高性能化に伴う発熱量の増加や、筐体の小型化等に起因する配置密度の上昇に伴って冷却ファンの静圧−風量特性の向上が要求されている。十分な静圧および風量を確保する冷却ファンとして、近年では複数のファンを直列に接続した直列式軸流ファンが利用され、ファン同士は様々な手法により互いに固定される。
【０００３】
例えば、特許文献１に開示される放熱ファンでは、第１ファンユニットの略四角柱状の筐体の第２ファンユニット側の端部に係止溝が設けられ、第２ファンユニットの略四角柱状の筐体の第１ファンユニット側の端部に第１ファンユニットに向かって突出する係止部材が設けられ、係止部材の弾性変形を利用して係止部材と係止溝とが係合することにより第１ファンユニットと第２ファンユニットとが連結される。
【０００４】
また、特許文献１に開示される他の構造では、第１ファンユニットの筐体の４つの角部に貫通穴が設けられ、第２ファンユニットの筐体の４つの角部にネジ溝を有する貫通穴が設けられ、ネジ桿が第１および第２ファンユニットの貫通穴に挿入されるとともに第２ファンユニットのネジ溝に螺合されて第１ファンユニットと第２ファンユニットとが連結される。
【０００５】
特許文献２に開示される二重反転式軸流送風機では、第１単体軸流送風機の第１ケースの吐き出し側フランジに貫通穴が設けられ、第２単体軸流送風機の第２ケースの吸い込み側フランジに第１単体軸流送風機側に向かって突出するフックが設けられる。第１および第２単体軸流送風機が結合される際には、第２ケースのフックが第１ケースの貫通穴に挿入され、２つのケースの軸線を中心に第１ケースが第２ケースに対して相対的に回転されることにより径方向に伸びるフックの先端部が貫通穴内の係合溝に嵌り、第１ケースと第２ケースとの間の軸線方向の移動および軸線を中心とする回転移動が防止される。
【特許文献１】特開２００５−１６３２３号公報
【特許文献２】特開２００４−２７８３７１号公報
【発明の開示】
【発明が解決しようとする課題】
【０００６】
ところで、特許文献１に示される係合構造では、第２ファンユニットの係止部材が容易に弾性変形する細長い形状とされることから、係止部材の強度が確保されず、放熱ファンに対して中心軸に垂直な方向の力（中心軸方向に対する曲げの力）が加わったり、第１ファンユニットに対して第２ファンユニットに回転力（中心軸を中心とする捻りの力）が加わる場合に係止部材が折れてしまうおそれがある。特許文献２の係合構造においても第１ケースと第２ケースとを接続する際に、両ケースの相対回転時に第２ケースのフックに大きな負荷がかかり、フックが折れてしまうおそれがある。
【０００７】
また、特許文献１では、ファンユニット同士を１度接続してしまうと係合構造を損傷することなく接続を解除することが困難となり、放熱ファンの設計に変更が生じたり、作業時にファンユニットの組み合わせに変更が生じても接続強度を低下させることなくファンユニットを付け替えることができない。さらに、特許文献１に示されるように、ネジやリベット等を利用して２つの軸流ファンが固定される場合には、直列式軸流ファンの部品数が増加し、軸流ファンの固定作業および分離作業が煩雑となる。
【０００８】
本発明は、上記課題に鑑みなされたものであり、ハウジングと風洞部とを係合することにより接続する接続構造を有する軸流ファンにおいて、ハウジングおよび風洞部に大きな力が作用した場合であっても、接続構造の損傷を防止することを主たる目的としている。
【課題を解決するための手段】
【０００９】
請求項１に記載の発明は、軸流ファンであって、複数の翼を有するインペラと、前記インペラの中心軸を中心として前記インペラを回転することにより前記中心軸方向のエアの流れを発生するモータ部と、外形が略四角柱状であり、前記インペラの外周を囲むとともに複数のリブにより前記モータ部に接続されるハウジングと、前記中心軸に沿って前記ハウジングに接続され、外形が前記ハウジングの前記外形と連続する略四角柱状である風洞部とを備え、前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、前記複数の接続構造のそれぞれが、前記第１端部および前記第２端部の一方から他方に向かって突出する水平方向固定凸部と、前記第１端部および前記第２端部の前記他方に設けられ、前記水平方向固定凸部と嵌り合う水平方向固定凹部とを有し、前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、前記複数の接続構造の複数の水平方向固定凸部と複数の水平方向固定凹部とにより、前記中心軸に垂直な方向における前記ハウジングに対する前記風洞部の相対位置が固定され、前記第１端部および前記第２端部の４つの角部に、前記複数の接続構造のそれぞれが設けられ、前記第１端部においていずれか２つの角部のそれぞれに前記水平方向固定凸部が設けられ、前記第２端部において前記２つの角部に対応する２つの角部とは別の２つの角部のそれぞれに前記水平方向固定凸部が設けられる。
【００１０】
請求項２に記載の発明は、軸流ファンであって、複数の翼を有するインペラと、前記インペラの中心軸を中心として前記インペラを回転することにより前記中心軸方向のエアの流れを発生するモータ部と、外形が略四角柱状であり、前記インペラの外周を囲むとともに複数のリブにより前記モータ部に接続されるハウジングと、前記中心軸に沿って前記ハウジングに接続され、外形が前記ハウジングの前記外形と連続する略四角柱状である風洞部と、を備え、前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、前記複数の接続構造のそれぞれが、前記第１端部および前記第２端部の一方から他方に向かって突出する水平方向固定凸部と、前記第１端部および前記第２端部の前記他方に設けられ、前記水平方向固定凸部と嵌り合う水平方向固定凹部と、を有し、前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、前記複数の接続構造の複数の水平方向固定凸部と複数の水平方向固定凹部とにより、前記中心軸に垂直な方向における前記ハウジングに対する前記風洞部の相対位置が固定され、前記ハウジングおよび前記風洞部が樹脂の射出成形により形成され、前記水平方向固定凸部の前記中心軸に垂直な断面形状が、Ｌ字状、Ｔ字状、Ｕ字状またはＨ字状である。
【００１１】
請求項３に記載の発明は、軸流ファンであって、複数の翼を有するインペラと、前記インペラの中心軸を中心として前記インペラを回転することにより前記中心軸方向のエアの流れを発生するモータ部と、外形が略四角柱状であり、前記インペラの外周を囲むとともに複数のリブにより前記モータ部に接続されるハウジングと、前記中心軸に沿って前記ハウジングに接続され、外形が前記ハウジングの前記外形と連続する略四角柱状である風洞部と、を備え、前記ハウジングの前記風洞部に対向する第１端部および前記風洞部の前記ハウジングに対向する第２端部における対角方向に位置する一対の角部を少なくとも含む複数の角部に、前記ハウジングと前記風洞部とを接続する複数の接続構造がそれぞれ設けられ、前記複数の接続構造のそれぞれが、前記第１端部および前記第２端部の一方から他方に向かって突出する水平方向固定凸部と、前記第１端部および前記第２端部の前記他方に設けられ、前記水平方向固定凸部と嵌り合う水平方向固定凹部と、を有し、前記水平方向固定凸部および前記水平方向固定凹部の一方に、前記水平方向固定凸部よりも細く、かつ、前記水平方向固定凸部および前記水平方向固定凹部の他方に向かって突出する第１軸方向係止部が設けられ、前記水平方向固定凸部および前記水平方向固定凹部の前記他方に、前記第１軸方向係止部と係合する第２軸方向係止部が設けられ、前記ハウジングと前記風洞部とが接続される際に、前記水平方向固定凸部が前記中心軸に略平行に移動して前記水平方向固定凹部に嵌め合わされるとともに、前記第１軸方向係止部が前記中心軸に垂直な方向に一旦弾性変形して元の形状に戻ることにより前記第１軸方向係止部と前記第２軸方向係止部とが前記中心軸に平行な方向において係合し、前記複数の接続構造の複数の水平方向固定凸部と複数の水平方向固定凹部とにより、前記中心軸に垂直な方向における前記ハウジングに対する前記風洞部の相対位置が固定され、前記複数の接続構造にて前記ハウジングと前記風洞部とが接続可能な前記ハウジングに対する前記風洞部の前記中心軸を中心とする周方向の向きが１つのみである。
【００１２】
請求項４に記載の発明は、請求項１ないし３のいずれかに記載の軸流ファンであって、前記水平方向固定凹部が、前記第１端部または前記第２端部の一の角部において前記中心軸に平行に伸びる凹部であり、前記第１軸方向係止部が前記水平方向固定凸部の先端から突出し、前記第１軸方向係止部の先端が前記水平方向固定凹部の内側面に対向する凸状または凹状の係合部を有し、前記係合部と係合する凹状または凸状の前記第２軸方向係止部が前記水平方向固定凹部の前記内側面に設けられる。
【００１３】
請求項５に記載の発明は、請求項４に記載の軸流ファンであって、前記水平方向固定凹部が、前記ハウジングまたは前記風洞部の前記中心軸に平行な方向における全長に亘って形成される、または、前記水平方向固定凹部が、前記中心軸に略垂直な端面を有し、前記端面と前記第１軸方向係止部の前記先端との間に隙間が設けられる。
【００１６】
請求項６に記載の発明は、請求項１ないし５のいずれかに記載の軸流ファンであって、前記中心軸に沿って前記インペラに隣接する他のインペラと、前記中心軸を中心として前記他のインペラを回転することにより前記インペラと同方向のエアの流れを発生する他のモータ部とをさらに備え、前記風洞部が、前記他のインペラの外周を囲むとともに複数のリブにより前記他のモータ部に接続される他のハウジングである。
【発明の効果】
【００１７】
本発明によれば、ハウジングおよび風洞部に大きな力が作用する場合であっても水平方向固定凸部および水平方向固定凹部により第１軸方向係止部の損傷が防止される。また、本発明によれば、ハウジングと風洞部とが強固に固定される。
【００１８】
本発明によれば、ハウジングおよび風洞部の金型の構造を簡素化することができる。本発明によれば、水平方向固定凹部を角部の先端に設け、水平方向固定凹部内に棒状の第１軸方向係止部を設けないことにより金型の構造をさらに簡素化することができる。
【００１９】
本発明によれば、第１軸方向係止部と第２軸方向係止部との係合の解除を容易に行うことができる。本発明によれば、水平方向固定凸部の強度を確保しつつ水平方向固定凸部を形成する材料を少なくすることができる。本発明によれば、ハウジングと風洞部との取付方向の間違いが防止される。
【発明を実施するための最良の形態】
【００２０】
図１は本発明の第１の実施の形態に係る直列式軸流ファン１を示す斜視図である。直列式軸流ファン１は、第１軸流ファン２および第１軸流ファン２の中心軸Ｊ１に沿って第１軸流ファン２の下側に配置される第２軸流ファン３を備える。直列式軸流ファン１では、図１中の上側（すなわち、第１軸流ファン２の上側）からエアが取り込まれ、下側（すなわち、第２軸流ファン３の下側）へと送出される。
【００２１】
図２は直列式軸流ファン１を中心軸Ｊ１を含む平面で切断した縦断面図である。直列式軸流ファン１は、いわゆる二重反転式軸流ファンであり、第１軸流ファン２の第１インペラ２１の回転方向は第２軸流ファン３の第２インペラ３１の回転方向と逆とされる。以下の説明では、中心軸Ｊ１方向において、エアが取り込まれる側である図２中の上側を単に「上側」と呼び、エアが送出される側である図２中の下側を単に「下側」と呼ぶ。「上側」および「下側」という表現は必ずしも重力方向に対する上側および下側と一致する必要はない。
【００２２】
第１軸流ファン２は第１インペラ２１、第１インペラ２１の中心軸Ｊ１を中心として第１インペラ２１を回転する第１モータ部２２、第１インペラ２１の外周を囲む第１ハウジング２３、および、第１モータ部２２を支持する複数の第１支持リブ２４を備え、第１ハウジング２３は第１支持リブ２４により第１モータ部２２に接続される。第１ハウジング２３は第１支持リブ２４と共に樹脂の射出成形により形成される。なお、図２では、図示の都合上、第１インペラ２１の第１翼２１１および第１支持リブ２４の概略形状を中心軸Ｊ１の左右に示している。また、第１モータ部２２は誇張して大きく示しており、各構成要素の断面に対する平行斜線の図示を省略している。第２軸流ファン３に関しても同様の手法にて図示している。
【００２３】
第１インペラ２１は、第１モータ部２２の外側を覆う有蓋略円筒状のカップ２１２、および、カップ２１２の外側面から径方向外方に向けて伸び、周方向に等ピッチにて配置された複数の第１翼２１１を有する。第１モータ部２２は、回転体である第１ロータ部２２１および固定体である第１ステータ部２２２を備え、中心軸Ｊ１に沿って第１ロータ部２２１が第１ステータ部２２２に対して上側に位置する。
【００２４】
第１ロータ部２２１は、中心軸Ｊ１を中心とする有蓋略円筒状の金属製のヨーク２２１１、ヨーク２２１１の内側に固定される略円筒状の界磁用磁石２２１２、および、ヨーク２２１１の上部中央から下方に突出するシャフト２２１３を備える。第１ロータ部２２１は、ヨーク２２１１がカップ２１２に覆われることにより第１インペラ２１と一体の部品となっている。
【００２５】
第１ステータ部２２２は中央に開口を有するベース部２２２１、ベース部２２２１の中央から上側に突出する略円筒状の軸受保持部２２２２、軸受保持部２２２２の外周に取り付けられた電機子２２２３、および、電機子２２２３の下側にて電機子２２２３に電気的に接続される回路基板２２２４を備える。ベース部２２２１は第１支持リブ２４を介して第１ハウジング２３の略円筒状の内側面に固定され、第１ステータ部２２２の各部を保持する。電機子２２２３は界磁用磁石２２１２と径方向に対向し、電機子２２２３と界磁用磁石２２１２との間で中心軸Ｊ１を中心とするトルクを発生する。軸受保持部２２２２の内側には軸受機構である玉軸受２２２５，２２２６が中心軸Ｊ１方向の上部および下部に設けられ、軸受保持部２２２２に挿入されたシャフト２２１３が玉軸受２２２５，２２２６により回転可能に支持される。
【００２６】
第２軸流ファン３は、第１軸流ファン２を上下に反転した形状とほぼ同形状であり、中心軸Ｊ１に沿って第１インペラ２１に隣接する第２インペラ３１、中心軸Ｊ１を中心として第２インペラ３１を回転する第２モータ部３２、第２インペラ３１の外周を囲む第２ハウジング３３、および、第２モータ部３２を支持する複数の第２支持リブ３４を備える。第２ハウジング３３は第２支持リブ３４により第２モータ部３２に接続され、第２支持リブ３４と共に樹脂の射出成形により形成される。また、第２ハウジング３３は中心軸Ｊ１に沿って第１ハウジング２３に接続される。第２インペラ３１は、有底円筒状のカップ３１２および中心軸Ｊ１を中心としてカップ３１２の外側面から径方向外方に向けて伸び、周方向に等ピッチにて配置された複数の第２翼３１１を有する。
【００２７】
第２モータ部３２は第１モータ部２２とほぼ同様の構造を有し、回転体である第２ロータ部３２１および固定体である第２ステータ部３２２を備え、第２モータ部３２では第２ステータ部３２２が第２ロータ部３２１の上側に位置する。第２ロータ部３２１は、中心軸Ｊ１を中心とするヨーク３２１１、ヨーク３２１１の内側に固定される略円筒状の界磁用磁石３２１２、および、ヨーク３２１１の中央から上方に突出するシャフト３２１３を備える。
【００２８】
第２ステータ部３２２はベース部３２２１、ベース部３２２１の中央から下側に突出する軸受保持部３２２２、軸受保持部３２２２内の上下に保持される玉軸受３２２５，３２２６、軸受保持部３２２２の外周に取り付けられる電機子３２２３、および、電機子３２２３の上側に配置される回路基板３２２４を備える。電機子３２２３および界磁用磁石３２１２は径方向に対向してトルクを発生する。
【００２９】
直列式軸流ファン１では、第１軸流ファン２の第１モータ部２２が第１インペラ２１を回転して中心軸Ｊ１方向のエアの流れを発生するとともに、第２軸流ファン３の第２モータ部３２が第２インペラ３１を第１インペラ２１の回転とは逆方向に回転して第１インペラ２１によるエアの流れと同方向の流れを発生する。これにより、十分な風量が確保されつつ静圧が向上される。
【００３０】
図３は第１軸流ファン２の斜視図、図４は第１軸流ファン２の底面図であり、図４では第１インペラ２１の図示を省略している。図３に示すように、第１ハウジング２３の上端部２３１（吸気側の端部）および下端部２３２（排気側の端部）はそれぞれ中心軸Ｊ１に垂直に外側へと広がるフランジ状となっている（ただし、下端部２３２の右手前および左奥の隅を除く。）。図３および図４に示すように、両端部２３１，２３２は平面視において輪郭が略正方形とされ、両端部２３１，２３２を中心軸Ｊ１方向に結ぶことにより形成される第１ハウジング２３の外形（図４において符号２３３を付す二点鎖線にて示している。）は略四角柱状とされる。
【００３１】
以下の説明では、図４に示す外形２３３の４つの外側面に図４における上側の外側面から時計回りに符号２３３１〜２３３４を付す。また、第１ハウジング２３の下端部２３２において２つの外側面の境界近傍を「角部」と呼び、図４における右上の角部から時計回りに符号２３５１〜２３５４を付す。図３においても外形２３３に相当する四角柱の外側面および角部の位置を符号を付して示している（背後に隠れている角部２３５３を除く。）。
【００３２】
図３および図４に示すように、第１ハウジング２３の下端部２３２（すなわち、第２ハウジング３３の上端部（図１参照）に対向する端部）では、角部２３５１，２３５３（図３では角部２３５３は背後に隠れている。）に中心軸Ｊ１に平行に伸びる凹部４１が設けられ、２つの角部２３５２，２３５４に第２ハウジング３３の上端部３３１に向かって突出する突出部４２が設けられる。
【００３３】
図５は第２軸流ファン３の斜視図であり、図６は第２軸流ファン３の平面図である。図５および図６にて第２軸流ファン３の中心軸を第１軸流ファン２の中心軸と同符号Ｊ１にて示し、図６では第２インペラ３１の図示を省略している。図５および図６に示すように、第２ハウジング３３の上端部３３１および下端部３３２はフランジ状となっており（ただし、上端部３３１の左手前および右奥の隅を除く。）、両端部３３１，３３２の平面視における輪郭は略正方形とされる。両端部３３１，３３２の輪郭を結んだ外形（図６において符号３３３を付す二点鎖線にて示している。）は略四角柱状とされ、図４に示す第１ハウジング２３の外形に連続する。
【００３４】
以下の説明では、図６に示す外形３３３の４つの外側面に図６における下側の外側面から反時計回りに符号３３３１〜３３３４を付す。また、第２ハウジング３３の上端部３３１において２つの外側面の境界近傍を「角部」と呼び、図６における右下の角部から反時計回りに符号３３５１〜３３５４を付す。図５では外形３３３に相当する四角柱の外側面および角部の位置を符号を付して示している。
【００３５】
図５および図６に示すように、第２ハウジング３３の上端部３３１（すなわち、第１ハウジング２３の下端部２３２（図３参照）に対向する端部）には、第１ハウジング２３の角部２３５１，２３５３（図４参照）に対応する２つの角部３３５１，３３５３から第１ハウジング２３の下端部２３２に向かって突出する突出部５２が設けられる。さらに、角部３３５１，３３５３とは別の角部である角部３３５２，３３５４に中心軸Ｊ１に平行に伸びる切欠状の凹部５１が設けられる。
【００３６】
直列式軸流ファン１では、図１に示すように、第１ハウジング２３の下端部２３２において対角方向に位置する一対の角部２３５２，２３５４の突出部４２が第２ハウジング３３の上端部３３１における同方向の一対の角部３３５２，３３５４の凹部５１に嵌り合う。さらに、第２ハウジング３３の上端部３３１において他の対角方向に位置する一対の角部３３５１，３３５３（角部３３５３は背後に隠れている。）の突出部５２が、第１ハウジング２３の同方向に並ぶ一対の角部２３５１，２３５３（角部２３５３は背後に隠れている。）の凹部４１に嵌り合う。
【００３７】
これにより、第１ハウジング２３の下端部２３２の４つの角部２３５１〜２３５４および第２ハウジング３３の上端部３３１の４つの角部３３５１〜３３５４において、突出部４２，５２および凹部４１，５１により第１ハウジング２３と第２ハウジング３３とを着脱可能に接続する４つの接続構造６（詳細については後述する。）が構成される。
【００３８】
図７は図３に示す角部２３５４の突出部４２を外側面２３３４に平行な面で切断した断面を図３中の左側から見た図であり、突出部４２の奥側の形状も示している。突出部４２は凸部４２１、および、凸部４２１の先端から第２ハウジング３３の角部３３５４の凹部５１（図５参照）に向かって突出する棒状の部位４２２を有する。部位４２２は、後述するように、突出部４２と凹部５１との中心軸Ｊ１に平行な方向における係合に利用されることから、以下、部位４２２を「第１軸方向係止部４２２」という。
【００３９】
図８は角部２３５４の凸部４２１の中心軸Ｊ１に垂直な断面を図３における下方から見た図である。図４および図８に示すように、凸部４２１は互いに垂直な２つの板状部４２１１ａ，４２１１ｂにより構成され、外側面２３３４（図４参照）に平行な一方の板状部４２１１ｂが外側面２３３１に平行な他方の板状部４２１１ａの中心軸Ｊ１側のエッジから図４および図８における上側に伸びる。すなわち、凸部４２１の中心軸Ｊ１に垂直な断面形状は中心軸Ｊ１に向かう方向に窪むＬ字状となっており、凸部４２１の断面２次モーメントが大きくされている。
【００４０】
図４に示すように、第１軸方向係止部４２２は板状部４２１１ａの下端から連続して伸び、図７に示すように、第１軸方向係止部４２２の先端は図３における外側面２３３３に向かう方向に突出する突起４２２１を有する。突起４２２１は法線が斜め上方に向かう傾斜面４２２１ａおよび傾斜面４２２１ａの下側に位置して法線が斜め下方に向かう傾斜面４２２１ｂを組み合わせた形状となっている。
【００４１】
図４に示すように、第１軸方向係止部４２２の外側面２３３１に平行な方向における幅は板状部４２１１ａの同方向の幅よりも小さくされ、第１軸方向係止部４２２の外側面２３３４に平行な方向における幅も板状部４２１１ｂの同方向の幅よりも小さくされる。このように、第１軸方向係止部４２２は凸部４２１よりも細くなっている。
【００４２】
図３に示す角部２３５２の突出部４２は、角部２３５４の突出部４２を中心軸Ｊ１を中心として１８０度回転した形状となっている。すなわち、突出部４２は図７と同様に、凸部４２１および凸部４２１の先端から下方に突出する棒状の第１軸方向係止部４２２を備え、凸部４２１の中心軸Ｊ１に垂直な断面形状は中心軸Ｊ１に向かう方向に窪むＬ字状とされる。さらに、第１軸方向係止部４２２は凸部４２１よりも細くされ、第１軸方向係止部４２２の先端は図３における外側面２３３１に向かう方向に突出する突起４２２１となっている。
【００４３】
図３および図４に示すように、第１ハウジング２３の角部２３５１の凹部４１は、第１ハウジング２３の上端部２３１のフランジ状の部位まで伸びる２つの内側面４１１ａ，４１１ｂおよび上端部２３１近傍にて中心軸Ｊ１に略垂直な面（以下、凹部４１の「端面４１３」という。）を有する。２つの内側面４１１ａ，４１１ｂは互いに略垂直であり、外側面２３３１に平行な一方の内側面４１１ａには凸状の部位４１２が設けられる。
【００４４】
図３に示すように、部位４１２は内側面４１１ａの伸びる方向に対して垂直な方向に内側面４１１ａを横断し、法線が斜め上方を向く傾斜面４１２１および法線が斜め下方を向く傾斜面４１２２を上下に組み合わせた形状となっている。部位４１２は後述するように凹部４１と第２ハウジング３３の角部３３５１の突出部５２（図５参照）との中心軸Ｊ１に平行な方向における係合に利用されることから、以下、部位４１２を「第２軸方向係止部４１２」という。
【００４５】
図４に示す角部２３５３の凹部４１は、角部２３５１の凹部４１を中心軸Ｊ１を中心として１８０度回転した形状となっている。すなわち、凹部４１は上端部２３１（図３参照）のフランジ状の部位まで伸びる互いに垂直な２つの内側面４１１ａ，４１１ｂおよび上端部２３１近傍にて中心軸Ｊ１に略垂直な端面４１３を有し、外側面２３３３に平行な内側面４１１ａには内側面４１１ａを横断するように第２軸方向係止部４１２が設けられる。
【００４６】
図９は図５に示す角部３３５１の突出部５２を外側面３３３２に平行な面で切断した断面を図５中の右側から見た図である。突出部５２は、図３に示す第１ハウジング２３の角部２３５４の突出部４２を中心軸Ｊ１に垂直かつ外側面２３３２に平行な軸を中心に１８０度回転した形状となっており、凸部５２１および凸部５２１の先端から図３に示す角部２３５１の凹部４１に向かって突出する棒状の部位５２２を備える。
【００４７】
図１０は角部３３５１の凸部５２１の中心軸Ｊ１に垂直な断面を図９における上方から見た図である。凸部５２１の中心軸Ｊ１に垂直な断面形状は図７に示す突出部４２の凸部４２１と同様に中心軸Ｊ１に向かう方向に窪むＬ字状とされ、凸部５２１の断面２次モーメントが大きくされている。図９に示すように、部位５２２は凸部５２１よりも細くされ、部位５２２の先端には外側面３３３３（図５参照）に向かう方向に突出する突起５２２１が設けられる。
【００４８】
突起５２２１は、法線が上方を向く傾斜面５２２１ａと法線が下方を向く傾斜面５２２１ｂとを上下に組み合わせた形状となっており、図１１に示すように、突起５２２１は第１ハウジング２３の角部２３５１（図３参照）の凹部４１の内側面４１１ａに対向して第２軸方向係止部４１２に中心軸Ｊ１に平行な方向において係合する。すなわち、突起５２２１は係合部として機能し、以下の説明では、部位５２２を「第１軸方向係止部５２２」と呼ぶ。図１に示すように、角部２３５１，３３５１では突出部５２の先端と凹部４１の端面４１３との間に大きな隙間９が設けられる。
【００４９】
図５および図６に示す角部３３５３の突出部５２は角部３３５１の突出部５２を中心軸Ｊ１を中心に１８０度回転した形状となっている。すなわち、突出部５２は図９と同様に、凸部５２１および凸部５２１の先端から上方に突出する棒状の第１軸方向係止部５２２を備え、凸部５２１の中心軸Ｊ１に垂直な断面形状は中心軸Ｊ１に向かう方向に窪むＬ字状とされ、第１軸方向係止部５２２は凸部５２１よりも細くされる。
【００５０】
さらに、第１軸方向係止部５２２の先端の突起５２２１は図５における外側面３３３１に向かう方向に突出するとともに、図４に示す第１ハウジング２３の角部２３５３の第２軸方向係止部４１２に中心軸Ｊ１に平行な方向において係合する係合部となっている。図４ないし図６に示す角部２３５３，３３５３においても図１に示す角部２３５１，３３５１と同様に突出部５２と凹部４１との間に大きな隙間（以下、角部２３５１，３３５１の隙間９と同符号を付して説明する。）が設けられる。
【００５１】
図５および図６に示す第２ハウジング３３の角部３３５４の凹部５１は下端部３３２（図５参照）のフランジ状の部位まで伸びる２つの内側面５１１ａ，５１１ｂおよび下端部３３２近傍にて中心軸Ｊ１に略垂直な面（以下、「端面５１３」という。）を有し、２つの内側面５１１ａ，５１１ｂは互いに略垂直である。
【００５２】
外側面３３３１に平行な一方の内側面５１１ａには凸状の部位５１２が設けられる。図１２に示すように、内側面５１１ａに対して第１ハウジング２３の角部２３５４（図３参照）の第１軸方向係止部４２２の突起４２２１が対向し、突起４２２１と部位５１２とが中心軸Ｊ１に平行な方向に係合する。以下、部位５１２を「第２軸方向係止部５１２」という。図５に示すように、第２軸方向係止部５１２は内側面５１１ａの伸びる方向に対して垂直な方向に内側面５１１ａを横断し、法線が斜め上方を向く傾斜面５１２１と法線が斜め下方を向く傾斜面５１２２とを上下に組み合わせた形状となっている。図１に示すように、角部２３５４，３３５４では突出部４２の先端と凹部５１の端面５１３との間に大きな隙間９が設けられる。
【００５３】
図５に示すように、角部３３５２の凹部５１は、角部３３５４の凹部５１を中心軸Ｊ１を中心として１８０度回転した形状となっている。すなわち、図５および図６に示すように、凹部５１は下端部３３２（図５参照）のフランジ状の部位まで伸びる互いに垂直な２つの内側面５１１ａ，５１１ｂおよび下端部３３２近傍にて中心軸Ｊ１に略垂直な端面５１３を有する。
【００５４】
また、外側面３３３３に平行な内側面５１１ａには内側面５１１ａを横断するように第２軸方向係止部５１２が設けられ、図１２に示すように、第２軸方向係止部５１２は第１ハウジング２３の角部２３５２（図３参照）の第１軸方向係止部４２２の突起４２２１に対して中心軸Ｊ１に平行な方向において係合する。図１に示すように角部２３５２，３３５２においても他の角部と同様に突出部４２と凹部５１との間に大きな隙間９が設けられる。
【００５５】
図１３は図１に示す第１ハウジング２３の角部２３５１の凹部４１および第２ハウジング３３の角部３３５１の突出部５２の凸部５２１を中心軸Ｊ１に垂直な面にて切断した断面図である。図１に示すように、直列式軸流ファン１では、第２ハウジング３３の突出部５２が第１ハウジング２３の凹部４１内に位置し、図１３に示すように、凸部５２１の２つの板状部５２１１ａ，５２１１ｂはそれぞれ凹部４１の内側面４１１ａ，４１１ｂに当接する。
【００５６】
また、図４に示す第１ハウジング２３の角部２３５３および図６に示す第２ハウジング３３の角部３３５３においても突出部５２が凹部４１内に位置し、図１３と同様に、突出部５２の凸部５２１が凹部４１の内側面４１１ａ，４１１ｂに当接する。第１ハウジング２３の角部２３５２，２３５４および第２ハウジング３３の角部３３５２，３３５４では、第１ハウジング２３の突出部４２が第２ハウジング３３の凹部５１内に位置し、図８に示す突出部４２の凸部４２１が図６に示す凹部５１の内側面５１１ａ，５１１ｂに当接する。
【００５７】
図１に示すように、直列式軸流ファン１では、第１ハウジング２３および第２ハウジング３３の４つの角部２３５１〜２３５４，３３５１〜３３５４において、突出部４２，５２の凸部４２１，５２１（図８および図１０参照）が対応する凹部４１，５１に当接することにより、第１ハウジング２３に対して第２ハウジング３３が中心軸Ｊ１に略平行な任意の軸（中心軸Ｊ１を含む。）を中心とする周方向において係合する。
【００５８】
これにより、第１ハウジング２３の下端部２３２に対する第２ハウジング３３の上端部３３１の相対回転が防止される。また、第１ハウジング２３に対して第２ハウジング３３を中心軸Ｊ１に垂直な方向に平行移動させる力が加わった場合であっても、凸部４２１，５２１の少なくとも１つが、対応する凹部４１，５１に当接するため第２ハウジング３３の平行移動が防止される。
【００５９】
すなわち、凸部４２１，５２１と凹部４１，５１との当接により中心軸Ｊ１に垂直な方向である水平方向における第１ハウジング２３に対する第２ハウジング３３の相対位置が固定される。以下の説明では、凸部４２１，５２１を「水平方向固定凸部４２１，５２１」と呼び、凹部４１，５１を「水平方向固定凹部４１，５１」と呼ぶ。
【００６０】
さらに、直列式軸流ファン１の４つの角部２３５１〜２３５４，３３５１〜３３５４では、図１１および図１２に示すように、突出部４２，５２の第１軸方向係止部４２２，５２２が対応する水平方向固定凹部４１，５１の第２軸方向係止部４１２，５１２に中心軸Ｊ１に平行な方向において係合することから、図１に示す第１ハウジング２３の下端部２３２と第２ハウジング３３の上端部３３１とが中心軸Ｊ１に平行な方向において固定される。
【００６１】
図１４は、第１ハウジング２３と第２ハウジング３３とが接続される様子を示す図である。接続の際には、まず、第１ハウジング２３の外形（図４中の符号２３３参照）および第２ハウジング３３の外形（図６中の符号３３３参照）が中心軸Ｊ１方向に一致するように第１ハウジング２３および第２ハウジング３３が互いに対向して配置される。次に、第１ハウジング２３が中心軸Ｊ１に平行に第２ハウジング３３へと相対的に移動され、第１ハウジング２３の突出部４２および第２ハウジング３３の突出部５２がそれぞれ、第２ハウジング３３の凹部５１および第１ハウジング２３の凹部４１に挿入される。
【００６２】
図１５は挿入途上における図１４に示す角部２３５１，３３５１の水平方向固定凹部４１および突出部５２の断面図であり、水平方向固定凹部４１および突出部５２の奥側の形状も示している。突出部５２が中心軸Ｊ１に略平行に移動して水平方向固定凹部４１内に挿入される際には、第１軸方向係止部５２２の突起５２２１の傾斜面５２２１ａと第２軸方向係止部４１２の傾斜面４１２２とが当接し、突起５２２１の傾斜面５２２１ａが第２軸方向係止部４１２の傾斜面４１２２に摺接しつつ第１軸方向係止部５２２が中心軸Ｊ１に垂直な方向（図１５中の左方向）に弾性変形する。
【００６３】
そして、図１１に示すように、復元力を利用して第１軸方向係止部５２２が元の形状に戻ることにより、第１軸方向係止部５２２の傾斜面５２２１ｂと第２軸方向係止部４１２の傾斜面４１２１とが互いに当接する。これにより、第１軸方向係止部５２２と第２軸方向係止部４１２とが中心軸Ｊ１に平行な方向において係合する。同時に、突出部５２の水平方向固定凸部５２１が水平方向固定凹部４１に嵌め合わされる。
【００６４】
図１４における奥側の角部２３５３，３３５３（角部２３５３は背後に隠れている。）においても、突出部５２が水平方向固定凹部４１内に挿入され、図１５に示すように、第１軸方向係止部５２２と第２軸方向係止部４１２とが中心軸Ｊ１に平行な方向において係合するとともに水平方向固定凸部５２１が水平方向固定凹部４１に嵌め合わされる。
【００６５】
また、図１４に示す角部２３５２，３３５２および角部２３５４、３３５４においても、第１ハウジング２３の突出部４２が水平方向固定凹部５１内に挿入されると、突出部４２の第１軸方向係止部４２２が水平方向固定凹部５１の第２軸方向係止部５１２に当接した後、図１５と同様に、突出部４２の第１軸方向係止部４２２が中心軸Ｊ１に垂直な方向に一旦弾性変形して元の形状に戻ることにより、図１２に示すように、第１軸方向係止部４２２と水平方向固定凹部５１の第２軸方向係止部５１２とが中心軸Ｊ１に平行な方向において係合する。同時に、突出部４２の水平方向固定凸部４２１が水平方向固定凹部５１に嵌め合わされる。以上の作業により第１ハウジング２３と第２ハウジング３３との接続が完了する。
【００６６】
第１ハウジング２３と第２ハウジング３３とを分離する際には、まず、図１に示す状態から、角部２３５１，２３５４，３３５１，３３５４の隙間９に指の先を入れて、爪で第１ハウジング２３の角部２３５４の第１軸方向係止部４２２および第２ハウジング３３の角部３３５１の第１軸方向係止部５２２をそれぞれ手前に弾性変形させる。
【００６７】
そして、弾性変形させた状態を維持して第２ハウジング３３に対して第１ハウジング２３を中心軸Ｊ１方向に僅かにずらすことにより、角部２３５１，３３５１の接続構造６および角部２３５４，３３５４の接続構造６において第１軸方向係止部５２２と第２軸方向係止部４１２との係合および第１軸方向係止部４２２と第２軸方向係止部５１２（図５参照）との係合が解除される。なお、この段階における直列式軸流ファン１の図１の奥側では第１ハウジング２３と第２ハウジング３３とが係合した状態となっている。
【００６８】
次に、角部２３５２，３３５２の接続構造６および角部２３５３，３３５３の接続構造６に対して同様の作業を行う。すなわち、角部２３５２，３３５２の隙間９および角部２３５３，３３５３の隙間９（図１では背後に隠れている。）に指の先を入れ、第１軸方向係止部４２２，５２２を爪で図１における奥側に弾性変形させる。この状態を維持しつつ第２ハウジング３３に対して第１ハウジング２３を中心軸Ｊ１方向に僅かにずらし、角部２３５２，３３５２における第１軸方向係止部４２２と第２軸方向係止部５１２との係合および角部２３５３，３３５３における第１軸方向係止部５２２と第２軸方向係止部４１２との係合が解除される。
【００６９】
そして、第２ハウジング３３に対して第１ハウジング２３を中心軸Ｊ１方向に移動することにより、第１ハウジング２３および第２ハウジング３３の４つの角部２３５１〜２３５４，３３５１〜３３５４において、突出部４２，５２がそれぞれ水平方向固定凹部５１，４１から引き抜かれる。以上の作業により第１ハウジング２３と第２ハウジング３３との分離が完了する。
【００７０】
以上、第１の実施の形態に係る直列式軸流ファン１の構造、並びに、第１ハウジング２３と第２ハウジング３３との接続および分離作業について説明したが、直列式軸流ファン１の突出部４２，５２では、第１軸方向係止部４２２，５２２の弾性変形を可能とするために第１軸方向係止部４２２，５２２の曲げ剛性が小さくされるが、水平方向固定凸部４２１，５２１が第１軸方向係止部４２２，５２２よりも太くされる。また、直列式軸流ファン１に曲げ（中心軸Ｊ１に垂直な方向の力）や捻り（一方の軸流ファンに対する他方の軸流ファンへの相対的な回転力）等の外力が大きく作用した場合であっても、水平方向固定凸部４２１，５２１および水平方向固定凹部４１，５１に力が作用する（すなわち、これらが力を受ける）ようになっている。その結果、外力により第１軸方向係止部４２２，５２２の損傷が防止される。さらに、第１ハウジング２３および第２ハウジング３３の４つの角部２３５１〜２３５４，３３５１〜３３５４に接続構造６が設けられるため、第１ハウジング２３と第２ハウジング３３とが強固に固定される。
【００７１】
第１ハウジング２３および第２ハウジング３３では、突出部４２，５２の水平方向固定凸部４２１，５２１の中心軸Ｊ１に垂直な断面形状が中心軸Ｊ１に向かって窪むＬ字状とされることから、突出部４２，５２の強度を確保しつつ突出部４２，５２を設けるために必要な樹脂材料が削減される。
【００７２】
さらに、直列式軸流ファン１では、４つの角部２３５１〜２３５４，３３５１〜３３５４に大きな隙間９が設けられるため、第１ハウジング２３と第２ハウジング３３との分離時において、作業者が隙間９を介して第１軸方向係止部４２２，５２２を容易に弾性変形させることができ、第１軸方向係止部４２２，５２２と第２軸方向係止部４１２，５１２との係合の解除が容易に行われる。
【００７３】
一方、第１ハウジング２３の下端部２３２の突出部４２および第２ハウジングの上端部３３１の突出部５２の数がそれぞれ２とされる（特に対角方向に設けられる）ことにより、突出部４２または突出部５２の数が０，１，３または４とされるハウジングに比べて第１ハウジング２３および第２ハウジング３３の金型の構造が簡素化される。また、第１ハウジング２３の水平方向固定凹部４１が外形２３３に沿って（すなわち、角部の先端にて）中心軸Ｊ１に平行に伸びる切欠状の凹部とされるとともに第２軸方向係止部４１２が内側面４１１ａに設けられる凸状の部位とされることにより、水平方向固定凹部４１内に第１軸方向係止部４２２と同様の棒状の軸方向係止部を第２軸方向係止部として設ける場合に比べて第１ハウジング２３の金型の構造が簡素化される（第２ハウジング３３においても同様）。
【００７４】
図１６は第２の実施の形態に係る直列式軸流ファン１ａの斜視図である。第１軸流ファン２ａの第１ハウジング２３ａでは、図３に示す第１ハウジング２３の２つの角部２３５２，２３５４に対応する２つの角部（図１６において同符号を付している。）に第１ハウジング２３の突出部４２に代えて第１ハウジング２３ａの外形に沿って中心軸Ｊ１に平行に伸びる水平方向固定凹部４１が設けられる。第１ハウジング２３ａの他の構造は第１ハウジング２３と同様である。すなわち、第１ハウジング２３ａでは全ての角部２３５１〜２３５４において水平方向固定凹部４１が設けられる。第１軸流ファン２ａの第１ハウジング２３ａ以外の構造は第１軸流ファン２と同様である。
【００７５】
第２軸流ファン３ａの第２ハウジング３３ａでは、図５に示す第２ハウジング３３の２つの角部３３５２，３３５４に対応する２つの角部（図１６において同符号を付している。）に第２ハウジング３３の水平方向固定凹部５１に代えて中心軸Ｊ１に平行に伸びる突出部５２が設けられる。第２ハウジング３３ａの他の構造は第２ハウジング３３と同様である。すなわち、第２ハウジング３３ａでは全ての角部３３５１〜３３５４に突出部５２が設けられる。第２軸流ファン３ａの第２ハウジング３３ａ以外の構造は第２軸流ファン２と同様である。以下、同様の構成には同符号を付して説明する。
【００７６】
図１７に示すように、第２ハウジング３３ａの４つの突出部５２はそれぞれ、水平方向固定凸部５２１および水平方向固定凸部５２１の先端から第１ハウジング２３ａの対応する水平方向固定凹部４１に向かって突出する棒状の第１軸方向係止部５２２を備え、水平方向固定凸部５２１の中心軸Ｊ１に垂直な断面形状は中心軸Ｊ１に向かう方向に窪むＬ字状とされる。また、第１軸方向係止部５２２は水平方向固定凸部５２１よりも細くされる。
【００７７】
第１ハウジング２３ａの水平方向固定凹部４１は上端部２３１のフランジ状の部位まで伸びる２つの内側面４１１ａ，４１１ｂ（一部のみに符号を付している。）および上端部２３１近傍にて中心軸Ｊ１に略垂直な端面４１３を有する。角部２３５１，２３５４の水平方向固定凹部４１では、外側面２３３１に平行な内側面４１１ａに凸状の第２軸方向係止部４１２が設けられ、角部２３５２，２３５３（角部２３５３は背後に隠れている。）の水平方向固定凹部４１では、外側面２３３３に平行な内側面４１１ａに凸状の第２軸方向係止部４１２が設けられる。
【００７８】
図１６に示すように、直列式軸流ファン１ａでは、第２ハウジング３３ａの４つの突出部５２が第１ハウジング２３ａの４つの水平方向固定凹部４１に嵌り合うことにより、図１１に示すように、突出部５２の第１軸方向係止部５２２が水平方向固定凹部４１の第２軸方向係止部４１２に中心軸Ｊ１に平行な方向において係合し、第１ハウジング２３ａと第２ハウジング３３ａとが中心軸Ｊ１に平行な方向に固定される。
【００７９】
また、図１３に示すように、突出部５２の水平方向固定凸部５２１が水平方向固定凹部４１の内側面４１１ａ，４１１ｂに当接することにより、第１ハウジング２３ａに対する第２ハウジング３３ａの中心軸Ｊ１に平行な任意の軸を中心とする相対回転が防止されるとともに、第１ハウジング２３ａに対する第２ハウジング３３ａの中心軸Ｊ１に垂直な方向への平行移動も防止される。すなわち、中心軸Ｊ１に垂直な方向である水平方向における第１ハウジング２３ａに対する第２ハウジング３３ａの相対位置が固定される。
【００８０】
以上のように、図１６に示す直列式軸流ファン１ａでは、４つの角部２３５１〜２３５４，３３５１〜３３５４に第１ハウジング２３ａと第２ハウジング３３ａとを着脱可能に接続する４つの接続構造６が構成され、第１ハウジング２３ａと第２ハウジング３３ａとが強固に固定される。
【００８１】
第１ハウジング２３ａと第２ハウジング３３ａとを接続する際には、図１７に示すように、第１ハウジング２３ａの外形と第２ハウジング３３ａの外形とを中心軸Ｊ１方向に一致させつつ第１ハウジング２３ａを第２ハウジング３３ａに向かって移動させ、第１ハウジング２３ａの下端部２３２と第２ハウジング３３ａの上端部３３１とを当接させる。
【００８２】
このとき、突出部５２が水平方向固定凹部４１内に移動し、図１５に示すように、第１軸方向係止部５２２の突起５２２１の傾斜面５２２１ａと第２軸方向係止部４１２の傾斜面４１２２とが当接し、突起５２２１の傾斜面５２２１ａが第２軸方向係止部４１２の傾斜面４１２２に対して摺接しつつ第１軸方向係止部５２２が中心軸Ｊ１に垂直な方向（図１５中の左方向）に弾性変形する。
【００８３】
そして、図１１に示すように、復元力を利用して第１軸方向係止部５２２が元の形状に戻ることにより、第１軸方向係止部５２２の傾斜面５２２１ｂと第２軸方向係止部４１２の傾斜面４１２１とが互いに当接する。これにより、第１軸方向係止部５２２と第２軸方向係止部４１２とが中心軸Ｊ１に平行な方向において係合する。同時に、突出部５２の水平方向固定凸部５２１が水平方向固定凹部４１に嵌め合わされる。
【００８４】
第１ハウジング２３ａと第２ハウジング３３ａとを分離する際には、まず、図１６に示す状態から第２ハウジング３３ａの角部３３５１，３３５４の突出部５２の第１軸方向係止部５２２を手前側に弾性変形させる。そして、弾性変形させた状態を維持して第２ハウジング３３ａに対して第１ハウジング２３ａを中心軸Ｊ１方向に僅かにずらし、これにより、第１軸方向係止部５２２と第２軸方向係止部４１２との係合が解除される。
【００８５】
次に、第２ハウジング３３ａの角部３３５２，３３５３の突出部５２の第１軸方向係止部５２２（図１７参照）に対して同様の作業を行うことにより第１軸方向係止部５２２と水平方向固定凹部４１の第２軸方向係止部４１２（図１６の背後に隠れている。）との係合が解除され、第２ハウジング３３ａに対して第１ハウジング２３ａを中心軸Ｊ１方向に移動することにより４つの角部２３５１〜２３５４，３３５１〜３３５４において突出部５２が水平方向固定凹部４１から引き抜かれる。
【００８６】
直列式軸流ファン１ａにおいても、図１７に示すように、突出部５２の水平方向固定凸部５２１が第１軸方向係止部５２２より太くされ、直列式軸流ファン１ａに曲げや捻り等の外力が大きく作用する場合であっても水平方向固定凸部５２１および水平方向固定凹部４１に力が作用する（すなわち、これらが力を受ける）ことにより、第１軸方向係止部５２２の損傷が防止される。また、水平方向固定凸部５２１の中心軸Ｊ１に垂直な方向における断面形状がＬ字状であるため、突出部５２の樹脂材料が少なくされる。
【００８７】
図１８は第３の実施の形態に係る軸流ファン１ｂの分解斜視図である。軸流ファン１ｂは、図１に示す第１軸流ファン２の排気側（下端部２３２側）に中心軸Ｊ１に沿って風洞部７が接続された構造となっている。風洞部７は樹脂の射出成形により形成され、図５に示す第２軸流ファン３の第２ハウジング３３と同形状とされる（なお、第２ハウジング３３は第１軸流ファン２に対する風洞部と捉えることができる。）。風洞部７の上端部７１と下端部７２とを結んで形成される外形は略四角柱状とされ、第１ハウジング２３の外形と連続する。以下の説明では、第１ハウジング２３を単に「ハウジング２３」と呼ぶ。
【００８８】
ハウジング２３に対向する端部である風洞部７の上端部７１では、図５に示す第２ハウジング３３の角部３３５１〜３３５４に対応する角部（図１８にて同符号を付している。）における突出部５２および水平方向固定凹部５１と同形状の突出部および水平方向固定凹部（図１８にて同符号を付している。）が設けられる。
【００８９】
軸流ファン１ｂでは、ハウジング２３および風洞部７の４つの角部２３５１〜２３５４，３３５１〜３３５４において、突出部４２の水平方向固定凸部４２１が対応する水平方向固定凹部５１の内側面に当接するとともに、突出部５２の水平方向固定凸部５２１が対応する水平方向固定凹部４１の内側面に当接する。これにより、図１に示す直列式軸流ファン１と同様にハウジング２３に対する風洞部７の相対回転が防止されるとともに、ハウジング２３に対する風洞部７の平行移動も防止される。
【００９０】
さらに、４つの角部２３５１〜２３５４，３３５１〜３３５４では、突出部４２の第１軸方向係止部４２２が対応する水平方向固定凹部５１の第２軸方向係止部５１２に中心軸Ｊ１に平行な方向に係合するとともに、突出部５２の第１軸方向係止部５２２が対応する水平方向固定凹部４１の第２軸方向係止部４１２に中心軸Ｊ１に平行な方向に係合することにより、風洞部７とハウジング２３とが中心軸Ｊ１に平行な方向に固定される。
【００９１】
以上のように、軸流ファン１ｂでは４つの角部２３５１〜２３５４，３３５１〜３３５４において突出部４２，５２および水平方向固定凹部４１，５１による接続構造が設けられ、図１の直列式軸流ファン１と同様に風洞部７とハウジング２３とが強固に固定される。また、ハウジング２３および風洞部７の水平方向固定凸部４２１，５２１が第１軸方向係止部４２２，５２２よりも太くされることにより、曲げや捻り等の外力が大きく作用する場合であっても水平方向固定凸部４２１，５２１および水平方向固定凹部４１，５１に力が作用し（すなわち、これらが力を受ける）、第１軸方向係止部４２２，５２２の損傷が防止される。
【００９２】
軸流ファン１ｂにおけるハウジング２３と風洞部７との接続および分離作業は図１に示す直列式軸流ファン１の第１ハウジング２３と第２ハウジング３３との接続および分離作業と同様である。
【００９３】
図１９は第１ハウジング２３の突出部の他の例を示す断面図であり、図１３に対応する。突出部４２ａは図１３に示す中心軸Ｊ１に垂直な断面がＬ字状の水平方向固定凸部４２１に代えて中心軸Ｊ１に垂直な断面がＴ字状の水平方向固定凸部４２１ａを有する。水平方向固定凸部４２１ａでは、中心軸Ｊ１に垂直な断面が図１９における上下方向に細長い板状部４２１２ａの中央から断面が左右方向に細長い板状部４２１２ｂが図１９における左方向に伸びる。なお、突出部４２ａでは板状部４２１２ｂから図７に示す第１軸方向係止部４２２と同形状の第１軸方向係止部が突出する。
【００９４】
図１９に示す第２ハウジング３３の水平方向固定凹部５１では、図１９における上側の内側面５１１ａに中心軸Ｊ１に平行（図１９における紙面に垂直な方向）に伸びる切欠状の溝部５１１１が設けられる。水平方向固定凹部５１の他の構造は図５に示す水平方向固定凹部５１と同様である。
【００９５】
突出部４２ａが水平方向固定凹部５１に挿入された状態では、水平方向固定凸部４２１ａの板状部４２１２ｂの図１９における左側の部位が水平方向固定凹部５１の内側面５１１ｂに当接し、板状部４２１２ａの図１９における上側の部位が水平方向固定凹部５１の内側面５１１ａの溝部５１１１に当接する。
【００９６】
なお、図５に示す第２ハウジング３３に図１９に示す水平方向固定凸部４２１ａと同形状の水平方向固定凸部が設けられ、図３に示す第１ハウジング２３に図１９に示す水平方向固定凹部５１と同形状の水平方向固定凹部が設けられてもよい（後述の図２０および図２１において同様）。
【００９７】
図１９に示す突出部４２ａの水平方向固定凸部４２１ａにおいても、突出部４２ａの強度が確保され、かつ、突出部４２ａを設けるために必要な樹脂材料が削減可能とされる。
【００９８】
図２０は第１ハウジング２３のさらに他の例に係る突出部を示す断面図であり、図２０に示す突出部４２ｂは中心軸Ｊ１に垂直な断面がＵ字状の水平方向固定凸部４２１ｂを有する。
【００９９】
水平方向固定凸部４２１ｂは、中心軸Ｊ１に垂直な断面が上下方向に細長い図２０の左側の板状部４２１３ａおよび中心軸Ｊ１に垂直な断面が左右方向に細長い板状部４２１３ｂがそれぞれ水平方向固定凹部５１の内側面に当接する。なお、突出部４２ｂでは板状部４２１３ｂから図７に示す第１軸方向係止部４２２と同形状の第１軸方向係止部が突出する。
【０１００】
突出部４２ｂにおいても、水平方向固定凸部４２１ｂの中心軸Ｊ１に垂直な断面がＵ字状であることにより、突出部４２ｂの強度が確保されつつ突出部４２ｂを設けるために必要な樹脂材料が削減される。
【０１０１】
図２１は第１ハウジング２３のさらに他の例に係る突出部を示す断面図である。図２１に示す突出部４２ｃは中心軸Ｊ１に垂直な断面がＨ字状の水平方向固定凸部４２１ｃを有し、水平方向固定凸部４２１ｃは、中心軸Ｊ１に垂直な断面が上下方向に細長い図２１の左側の板状部４２１４ａが水平方向固定凹部５１の一方の内側面に全幅に亘って当接し、板状部４２１４ａおよび右側の板状部４２１４ｂの図２１における上側の部位が他方の内側面に当接する。なお、板状部４２１４ａ，４２１４ｂの間に位置して中心軸Ｊ１に垂直な断面が左右方向に細長い板状部４２１４ｃから図７に示す第１軸方向係止部４２２と同形状の第１軸方向係止部が突出する。
【０１０２】
突出部４２ｃにおいても、水平方向固定凸部４２１ｃの中心軸Ｊ１に垂直な断面がＨ字状であることにより、突出部４２ｃの強度が確保されつつ突出部４２ｃを設けるための必要な樹脂材料が削減される。
【０１０３】
図２２は第４の実施の形態に係る直列式軸流ファン１ｃを示す斜視図であり、図１４に対応する。図２２に示すように、第１ハウジング２３ｂの角部２３５１では、水平方向固定凹部４１が、外側面２３３２に平行な内側面４１１ｂ上に図３の第２軸方向係止部４１２と同形状の第２軸方向係止部４１２を有する。角部２３５４では、突出部４２の第１軸方向係止部４２２が外側面２３３２に向かって突出する突起４２２１を有する。すなわち、角部２３５４の突出部４２は、角部２３５４から角部２３５２に向かう対角線および中心軸Ｊ１を含む面を中心に図３の突出部４２を反転した形状となっている。第１ハウジング２３ｂの他の構造は第１ハウジング２３と同様である。
【０１０４】
また、第２ハウジング３３ｂの角部３３５１では、突出部５２の第１軸方向係止部５２２が、外側面３３３４に向かって突出する突起５２２１を有する。角部３３５４では、水平方向固定凹部５１が、外側面３３３４に平行な内側面５１１ｂ上に図５の第２軸方向係止部５１２と同形状の第２軸方向係止部５１２を有する。その他の構造は第２ハウジング３３と同様である。以下、図１の直列式軸流ファン１と同様の構成には同符号を付している。
【０１０５】
直列式軸流ファン１ｃでは、第１ハウジング２３ｂの角部２３５１，２３５３の水平方向固定凹部４１と第２ハウジング３３ｂの角部３３５１，３３５３の突出部５２とが嵌り合い、第２ハウジング３３ｂの角部３３５２，３３５４の水平方向固定凹部５１と第１ハウジング２３ｂの角部２３５２，２３５４の突出部４２とが嵌り合うことにより第１ハウジング２３ｂと第２ハウジング３３ｂとを接続する接続構造が構成される。
【０１０６】
また、直列式軸流ファン１ｃでは、第１ハウジング２３ｂの角部２３５２，２３５４の第１軸方向係止部４２２の突起４２２１の向きが中心軸Ｊ１を中心として対称ではなく、第２ハウジング３３ｂの角部３３５１，３３５３の第１軸方向係止部５２２の突起５２２１の向きも中心軸Ｊ１を中心として対称ではないため、第１ハウジング２３ｂを中心軸Ｊ１を中心に１８０度回転した状態で第１ハウジング２３ｂを第２ハウジング３３ｂに接続することはできない。
【０１０７】
すなわち、角部２３５２，２３５４の第１軸方向係止部４２２がそれぞれ角部３３５４，３３５２の第２軸方向係止部５１２に対して中心軸Ｊ１に平行な方向において係合することはなく、角部３３５１，３３５３の第１軸方向係止部５２２がそれぞれ角部２３５３，２３５１の第２軸方向係止部４１２に対して中心軸Ｊ１に平行な方向において係合することはない。
【０１０８】
これにより、直列式軸流ファン１ｃでは、４つの接続構造にて第１ハウジング２３ｂと第２ハウジング３３ｂとが接続可能な第１ハウジング２３ｂに対する第２ハウジング３３ｂの中心軸Ｊ１を中心とする周方向の向きが１つのみとされ（いわゆる、バカヨケが構成され）、第１ハウジング２３ｂに対する第２ハウジング３３ｂの取付方向の間違いが防止される。
【０１０９】
図２３は第５の実施の形態に係る直列式軸流ファン１ｄの第１ハウジング２３ｃの下端部２３２および第２ハウジング３３ｃの上端部３３１を拡大して示す正面図であり、図２４は第２ハウジング３３ｃの１つの外側面近傍を拡大して示す平面図である。図２３に示すように、第１ハウジング２３ｃの下端部２３２と第２ハウジング３３ｃの上端部３３１との間には、図１に示す接続構造６とは異なる構造の接続構造６ａが設けられる。直列式軸流ファン１ｄの他の構造は図１の直列式軸流ファン１と同様である。
【０１１０】
図２３に示すように、第１ハウジング２３ｃは下端部２３２の全ての角部において第２ハウジング３３ｃの上端部３３１に向かって突出する水平方向固定凸部４２１ｄを有する。水平方向固定凸部４２１ｄには下端から上端に向かって中心軸Ｊ１に平行に伸びる溝部である第２軸方向係止部４２２ａが設けられ、第２軸方向係止部４２２ａの上部４２２２は第２軸方向係止部４２２ａの他の部位よりも窪む。
【０１１１】
図２３および図２４に示すように、第２ハウジング３３ｃは上端部３３１の全ての角部において水平方向固定凸部４２１ｄと嵌り合う水平方向固定凹部５１ａを有し、水平方向固定凹部５１ａの中心軸Ｊ１に略垂直な端面５１３上には、水平方向固定凸部４２１ｄよりも細く、かつ、水平方向固定凸部４２１ｄに向かって突出する棒状の第１軸方向係止部５１２ａが設けられる。さらに、第１軸方向係止部５１２ａの先端には中心軸Ｊ１に垂直な方向に突出する凸状の係合部である突起５１２３が設けられる。
【０１１２】
図２３に示すように、第１ハウジング２３ｃと第２ハウジング３３ｃとの接続の際には、水平方向固定凸部４２１ｄが中心軸Ｊ１に略平行に移動して水平方向固定凹部５１ａに嵌め合わされる。このとき、第１軸方向係止部５１２ａが中心軸Ｊ１に垂直な方向に一旦弾性変形して元の形状に戻ることにより、第１軸方向係止部５１２ａの突起５１２３と第２軸方向係止部４２２ａの上部４２２２とが嵌り合い、第１軸方向係止部５１２ａと第２軸方向係止部４２２ａとが中心軸Ｊ１に平行な方向において係合する。同時に、４つの接続構造６ａの４つの水平方向固定凸部４２１ｄおよび４つの水平方向固定凹部５１ａにより、中心軸Ｊ１に垂直な方向における第２ハウジング３３ｃに対する第１ハウジング２３ｃの相対位置が固定される。
【０１１３】
直列式軸流ファン１ｄにおいても、水平方向固定凸部４２１ｄが第１軸方向係止部５１２ａより太くされるため、直列式軸流ファン１ｄに曲げや捻り等の外力が大きく作用する場合であっても第１軸方向係止部５１２ａの損傷が防止される。
【０１１４】
図２５は第６の実施の形態に係る直列式軸流ファン１ｅを示す分解斜視図であり、直列式軸流ファン１ｅでは３つの軸流ファン２ｂ，８，３ｂが直列に接続される。上側に位置する第１軸流ファン２ｂ（二点鎖線にて概略形状のみを示している。）の第１ハウジング２３は、図３に示す第１ハウジング２３の左右を反転した形状を有し、水平方向固定凹部４１が角部２３５２，２３５４に設けられ、突出部４２が角部２３５１，２３５３に設けられる。第１軸流ファン２ｂの他の構造は図３に示す第１軸流ファン２と同様である。また、下側に位置する第３軸流ファン３ｂ（二点鎖線にて概略形状のみを示している。）は図５に示す第２軸流ファン３と同形状である。以下、同様の構成には同符号を付して説明する。
【０１１５】
第１軸流ファン２ｂと第３軸流ファン３ｂとの間に位置する第２軸流ファン８では、第２ハウジング８１が、上端部８２の対角方向の一対の角部に図３に示す第１ハウジング２３の下端部２３２の突出部４２を上下反転した突出部８１１、および、突出部８１１が並ぶ対角方向とは別の対角方向に図３に示す水平方向固定凹部４１とは異なる形状の水平方向固定凹部８１２を有する。第２ハウジング８１の他の形状は図３に示す第１ハウジング２３と同様であり、以下、図２５に示す第２ハウジング８１の上端部８２および下端部８３の突出部の全てに符号８１１を付す。また、第２軸流ファン８の第２ハウジング８１以外の構造は図５に示す第２軸流ファン３と同様である。
【０１１６】
水平方向固定凹部８１２は第２ハウジング８１の外形に沿って中心軸Ｊ１に平行に外形の全長に亘って形成され、図３に示す水平方向固定凹部４１の第２軸方向係止部４１２と同形状の第２軸方向係止部８１２１が中心軸Ｊ１に平行な方向における２箇所に設けられる。
【０１１７】
第１ハウジング２３および第２ハウジング８１では、第２ハウジング８１の上端部８２の突出部８１１および第１ハウジング２３の突出部４２がそれぞれ水平方向固定凹部４１，８１２に嵌り合う。これにより、突出部８１１の水平方向固定凸部８１１１および水平方向固定凸部４２１がそれぞれ水平方向固定凹部４１，８１２に当接するとともに、突出部８１１，４２の第１軸方向係止部８１１２，４２２がそれぞれ水平方向固定凹部４１，８１２の第２軸方向係止部４１２および上側の第２軸方向係止部８１２１に中心軸Ｊ１に平行な方向において係合する。
【０１１８】
また、第２ハウジング８１および第３ハウジング３３では、第２ハウジング８１の下端部８３の突出部８１１および第３ハウジング３３の突出部５２がそれぞれ水平方向固定凹部５１，８１２に嵌り合う。これにより、水平方向固定凸部８１１１，５２１がそれぞれ水平方向固定凹部５１，８１２に当接するとともに、第１軸方向係止部８１１２，５２２がそれぞれ第２軸方向係止部５１２および下側の第２軸方向係止部８１２１に中心軸Ｊ１に平行な方向において係合する。
【０１１９】
第１軸流ファン２ｂと第２軸流ファン８との接続および分離作業、並びに、第２軸流ファン８と第３軸流ファン３ｂとの接続および分離作業は、それぞれ図１に示す第１軸流ファン２と第２軸流ファン３との接続および分離作業と同様である。
【０１２０】
直列式軸流ファン１ｅにおいても、３つの軸流ファン２ｂ，８，３ｂの第１軸方向係止部４２２，５２２，８１１２の損傷が防止される。また、第２ハウジング８１の水平方向固定凹部８１２が中心軸Ｊ１に平行な方向に全長に亘って形成されることにより、第１ハウジング２３および第２ハウジング８１、並びに、第２ハウジング８１および第３ハウジング３３の分離時に指の爪で第１軸方向係止部４２２，５２２と第２軸方向係止部８１２１との係合の解除を容易に行うことができる。直列式軸流ファン１ｅでは第２ハウジング８１の第１軸方向係止部８１１２と第１ハウジング２３および第３ハウジング３３の水平方向固定凹部４１，５１の第２軸方向係止部４１２，５１２との係合の解除も容易に行われる。
【０１２１】
以上、本発明の実施の形態について説明したが、本発明は上記実施の形態に限定されるものではなく、様々な変更が可能である。例えば、上記第１ないし第４並びに第６の実施の形態では、第２軸方向係止部４１２，５１２，８１２１に対する第１軸方向係止部４２２，５２２，８１１２の凸状の係合部である突起４２２１，５２２１に代えて、第１軸方向係止部４２２，５２２，８１１２の先端に凹状の係合部が設けられてもよい。また、第１軸方向係止部４２２，５２２，８１１２の先端に突起４２２１，５２２１が設けられる場合には、水平方向固定凹部４１，５１，８１２の凸状の第２軸方向係止部４１２，５１２，８１２１に代えて凹状の第２軸方向係止部が設けられてもよい。
【０１２２】
上記第１、第２、第４および第６の実施の形態では、水平方向固定凹部４１，５１がそれぞれ、第１ハウジング２３，２３ａ，２３ｂおよび第２ハウジング３３，３３ａ，３３ｂの中心軸Ｊ１に平行な方向における全長に亘って形成されてもよい。この場合においても、第１ハウジング２３，２３ａ，２３ｂと第２ハウジング３３，３３ａ，３３ｂとの分離時に指の爪で第１軸方向係止部４２２，５２２，８１１２と第２軸方向係止部４１２，５１２との係合の解除を容易に行うことができる。同様に、図１８に示す第３の実施の形態では、水平方向固定凹部４１，５１がそれぞれハウジング２３および風洞部７の中心軸Ｊ１に平行な方向における全長に亘って形成されてもよい。
【０１２３】
上記第３の実施の形態では、風洞部７は図２２に示す第２ハウジング３３ｂと同様に、角部３３５１，３３５３に設けられる第１軸方向係止部５２２の突起５２２１の向きが中心軸Ｊ１を中心として対称にはならないように設計されてもよい。この場合、風洞部７に接続されるハウジング２３は図２２に示す第１ハウジング２３ｂと同形状とされる。これにより、ハウジング２３と風洞部７とが接続可能なハウジング２３に対する風洞部７の中心軸Ｊ１を中心とする周方向の向きが１つのみとされ、ハウジング２３と風洞部７との取付方向の間違いが防止される。
【０１２４】
上記第１の実施の形態では、第１ハウジング２３の隣り合う２つの角部に水平方向固定凸部４２１（すなわち、突出部４２）が設けられ、他の２つの角部に水平方向固定凹部４１が設けられてもよい。この場合、第２ハウジング３３では第１ハウジング２３の当該２つの角部に対応する２つの角部に水平方向固定凹部５１が設けられ、当該他の２つの角部に対応する２つの角部に水平方向固定凸部５２１（すなわち、突出部５２）が設けられる。
【０１２５】
このように、第１ハウジング２３のいずれか２つの角部のそれぞれに水平方向固定凸部４２１が設けられ、第２ハウジング３３の当該２つの角部に対応する２つの角部とは別の２つの角部のそれぞれに水平方向固定凸部５２１が設けられるのであれば、第１ハウジング２３および第２ハウジング３３の金型の構造を簡素化することが実現される（他の実施の形態においても同様）。
【０１２６】
また、直列式軸流ファン１，１ａ，１ｃ〜１ｄおよび軸流ファン１ｂにおける接続構造の数は３であってもよく、さらに、対角方向に位置する一対の角部に設けられるのであれば２とされてもよい。すなわち、接続構造は少なくとも対角方向に位置する一対の角部を含む複数の角部に設けられ、これにより、第１ハウジング２３，２３ａ〜２３ｃと第２ハウジング３３，３３ａ〜３３ｃとが（または、ハウジング２３と風洞部７とが）接続可能とされる（図２５の直列式軸流ファン１ｅの互いに対向する２つのハウジングにおいても同様）。
【０１２７】
上記実施の形態では、排気側と吸気側とが反転されてもよく、この場合、上記第３の実施の形態では、ハウジング２３の吸気側に風洞部７が設けられることとなる。また、各軸流ファンにおけるモータ部とリブとの上下関係は適宜変更されてよい。さらに、第１ハウジング２３，２３ａ〜２３ｃと第２ハウジング３３，３３ａ〜３３ｃとを接続する手法は３以上の軸流ファンまたは風洞部を直列に接続する場合の任意の接続箇所に採用可能である。
【０１２８】
棒状の第１軸方向係止部は、好ましくは中心軸Ｊ１に垂直な任意の方向において水平方向固定凸部よりも幅が小さくされるが、第１軸方向係止部が水平方向固定凸部に比べておよそ細くされるのであれば、いずれかの方向において第１軸方向係止部の幅と水平方向凸部の幅とが等しくされてもよい。例えば、第１軸方向係止部が第２軸方向係止部との係合時に弾性変形する方向において第１軸方向係止部の曲げ剛性が水平方向固定凸部の曲げ剛性よりも小さくされるのであれば、第１軸方向係止部の弾性変形方向に垂直な方向に関して第１軸方向係止部と水平方向固定凸部とが同じ幅とされてもよい。
【図面の簡単な説明】
【０１２９】
【図１】第１の実施の形態に係る直列式軸流ファンを示す斜視図である。
【図２】直列式軸流ファンの断面図である。
【図３】第１軸流ファンの斜視図である。
【図４】第１軸流ファンの底面図である。
【図５】第２軸流ファンの斜視図である。
【図６】第２軸流ファンの平面図である。
【図７】第１ハウジングの突出部の縦断面図である。
【図８】水平方向固定凸部の横断面図である。
【図９】第２ハウジングの突出部の縦断面図である。
【図１０】水平方向固定凸部の横断面図である。
【図１１】第１ハウジングの突出部および第２ハウジングの水平方向固定凹部の縦断面図である。
【図１２】第２ハウジングの突出部および第１ハウジングの水平方向固定凹部の縦断面図である。
【図１３】第１ハウジングの水平方向固定凹部および第２ハウジングの水平方向固定凸部の横断面図である。
【図１４】直列式軸流ファンの分解斜視図である。
【図１５】第２ハウジングの突出部および第１ハウジングの水平方向固定凹部の縦断面図である。
【図１６】第２の実施の形態に係る直列式軸流ファンの斜視図である。
【図１７】直列式軸流ファンの分解斜視図である。
【図１８】第３の実施の形態に係る軸流ファンの分解斜視図である。
【図１９】水平方向固定凸部の他の例を示す図である。
【図２０】水平方向固定凸部のさらに他の例を示す図である。
【図２１】水平方向固定凸部のさらに他の例を示す図である。
【図２２】第４の実施の形態に係る直列式軸流ファンの分解斜視図である。
【図２３】第５の実施の形態に係る直列式軸流ファンの第１ハウジングおよび第２ハウジングの正面図である。
【図２４】第２ハウジングの平面図である。
【図２５】第６の実施の形態に係る直列式軸流ファンを示す分解斜視図である。
【符号の説明】
【０１３０】
１，１ａ，１ｃ〜１ｅ    直列式軸流ファン
１ｂ    軸流ファン
２，２ａ，２ｂ    第１軸流ファン
３，３ａ，８    第２軸流ファン
３ｂ    第３軸流ファン
６，６ａ    接続構造
７    風洞部
９    隙間
２１    第１インペラ
２２    第１モータ部
２３，２３ａ〜２３ｃ    第１ハウジング
２４    第１支持リブ
３１    第２インペラ
３２    第２モータ部
３３，３３ａ〜３３ｃ    第２ハウジング
３４    第２支持リブ
４１，５１，５１ａ，８１２    水平方向固定凹部
２１１    第１翼
２３２    （第１ハウジングの）下端部
２３３    （第１ハウジングの）外形
３１１    第２翼
３３１    （第２ハウジングの）上端部
３３３    （第２ハウジングの）外形
４１１ａ，４１１ｂ，５１１ａ，５１１ｂ    （水平方向固定凹部の）内側面
４１２，４２２ａ，５１２，８１２１    第２軸方向係止部
４１３，５１３    （水平方向固定凹部の）端面
４２１，４２１ａ〜４２１ｄ，５２１，８１１１    水平方向固定凸部
４２２，５２２，５１２ａ，８１１２    第１軸方向係止部
２３５１〜２３５４    （第１ハウジングの）角部
３３５１〜３３５４    （第２ハウジングおよび風洞部の）角部
４２２１，５２２１，５１２３    突起
Ｊ１    中心軸
【図１】
0005146911.tif 000002
【図２】
0005146911.tif 000003
【図３】
0005146911.tif 000004
【図４】
0005146911.tif 000005
【図５】
0005146911.tif 000006
【図６】
0005146911.tif 000007
【図７】
0005146911.tif 000008
【図８】
0005146911.tif 000009
【図９】
0005146911.tif 000010
【図１０】
0005146911.tif 000011
【図１１】
0005146911.tif 000012
【図１２】
0005146911.tif 000013
【図１３】
0005146911.tif 000014
【図１４】
0005146911.tif 000015
【図１５】
0005146911.tif 000016
【図１６】
0005146911.tif 000017
【図１７】
0005146911.tif 000018
【図１８】
0005146911.tif 000019
【図１９】
0005146911.tif 000020
【図２０】
0005146911.tif 000021
【図２１】
0005146911.tif 000022
【図２２】
0005146911.tif 000023
【図２３】
0005146911.tif 000024
【図２４】
0005146911.tif 000025
【図２５】
0005146911.tif 000026